(57)【要約】  本発明の半導体装置の製造方法は、以下の４つの工程を少なくとも備えている。（Ａ）耐熱性樹脂層（１０）、柔軟性樹脂層（２０）および粘着性樹脂層（３０）をこの順番に有する粘着性積層フィルム（５０）と、粘着性樹脂層（３０）上に貼り付けられた１または２以上の半導体チップ（７０）と、を備える構造体（１００）を準備する工程、（Ｂ）粘着性樹脂層（３０）上に貼り付けられた状態で、半導体チップ（７０）の動作を確認する工程、（Ｃ）工程（Ｂ）の後に耐熱性樹脂層（１０）を粘着性積層フィルム（５０）から剥離する工程、（Ｄ）工程（Ｃ）の後に粘着性樹脂層（３０）から半導体チップ（７０）をピックアップする工程。
2017170450.tif 000002
【特許請求の範囲】
【請求項１】
耐熱性樹脂層、柔軟性樹脂層および粘着性樹脂層をこの順番に有する粘着性積層フィルムと、前記粘着性樹脂層上に貼り付けられた１または２以上の半導体チップと、を備える構造体を準備する工程（Ａ）と、
前記粘着性樹脂層上に貼り付けられた状態で、前記半導体チップの動作を確認する工程（Ｂ）と、
前記工程（Ｂ）の後に前記耐熱性樹脂層を前記粘着性積層フィルムから剥離する工程（Ｃ）と、
前記工程（Ｃ）の後に前記粘着性樹脂層から前記半導体チップをピックアップする工程（Ｄ）と、
を備える半導体装置の製造方法。
【請求項２】
請求項１に記載の半導体装置の製造方法において、
前記工程（Ｂ）では、０℃以下または５０℃以上２００℃以下の温度環境下で前記半導体チップの動作確認をおこなう半導体装置の製造方法。
【請求項３】
請求項１または２に記載の半導体装置の製造方法において、
前記工程（Ｄ）の前に前記粘着性積層フィルムに対して放射線を照射し、前記粘着性樹脂層を架橋させることで、前記半導体チップに対する前記粘着性樹脂層の粘着力を低下させる工程（Ｅ）をさらに備える半導体装置の製造方法。
【請求項４】
請求項１乃至３いずれか一項に記載の半導体装置の製造方法において、
前記工程（Ｄ）では、前記粘着性樹脂層における前記半導体チップが貼り付けられた領域をフィルムの面内方向に拡張させて、隣接する前記半導体チップ間の間隔を拡大させた状態で、前記粘着性樹脂層から前記半導体チップをピックアップする半導体装置の製造方法。
【請求項５】
請求項１乃至４いずれか一項に記載の半導体装置の製造方法において、
前記耐熱性樹脂層の融点が２００℃以上である、あるいは前記耐熱性樹脂層は融点を有さない半導体装置の製造方法。
【請求項６】
請求項１乃至５いずれか一項に記載の半導体装置の製造方法において、
前記柔軟性樹脂層の融点が１００℃以上２５０℃以下である半導体装置の製造方法。
【請求項７】
請求項１乃至６いずれか一項に記載の半導体装置の製造方法において、
前記耐熱性樹脂層を構成する耐熱性樹脂がポリイミド、ポリアミド、およびポリエステルからなる群から選択される一種または二種以上を含む半導体装置の製造方法。
【請求項８】
請求項１乃至７いずれか一項に記載の半導体装置の製造方法において、
前記柔軟性樹脂層を構成する柔軟性樹脂がポリエステル系エラストマー、ポリアミド系エラストマー、ポリイミド系エラストマー、およびポリブチレンテレフタレートからなる群から選択される一種または二種以上を含む半導体装置の製造方法。
【請求項９】
請求項１乃至８いずれか一項に記載の半導体装置の製造方法において、
前記粘着性樹脂層を構成する粘着剤が（メタ）アクリル系粘着剤、シリコーン系粘着剤、ウレタン系粘着剤、オレフィン系粘着剤、およびスチレン系粘着剤から選択される一種または二種以上を含む半導体装置の製造方法。
【請求項１０】
請求項１乃至９いずれか一項に記載の半導体装置の製造方法において、
前記粘着性積層フィルムの全光線透過率が８５％以上である半導体装置の製造方法。
【発明の詳細な説明】
【技術分野】
【０００１】
本発明は、半導体装置の製造方法に関する。
【背景技術】
【０００２】
半導体装置の製造工程では、半導体ウェハをダイシングして半導体チップを得た後に、得られた半導体チップが正常に動作するかを確認する工程をおこなう場合がある。
この半導体チップの動作確認工程では、例えば、高温または低温で半導体チップの動作確認をおこなう。こうすることで、不良発生の要因が内在している半導体チップの劣化を加速でき、半導体チップの初期不良を早期に発生させ、その不良品を除去することができる。これにより、信頼性に優れた半導体チップを歩留りよく得ることができる。【０００３】
このような半導体チップの動作確認の加速試験に関する技術としては、例えば、特許文献１（特開平１０−１６３２８１号公報）に記載のものが挙げられる。【０００４】
特許文献１には、複数個の半導体素子を形成した半導体ウェハに対してダイシングを施し、このダイシングが施された半導体素子間の位置関係を保持した状態で上記半導体素子に形成された電極にテスタに接続された接触端子を押し当てて電気的に接続し、この接続した状態でテスタにより半導体素子に対して動作特性試験による検査を行って半導体素子を製造することを特徴とする半導体素子の製造方法が記載されている。
【先行技術文献】
【特許文献】
【０００５】
【特許文献１】特開平１０−１６３２８１号公報
【発明の概要】
【発明が解決しようとする課題】
【０００６】
本発明者の検討によれば、特許文献１に記載されているような従来の半導体装置の製造方法に関し、以下のような課題を見出した。
まず、本発明者は、従来の半導体装置の製造方法において、高温または低温で半導体チップの動作確認をおこなう際に、半導体チップを固定する粘着性フィルムが変形したり、溶融したりすることを知見した。この場合、粘着性フィルム上の半導体チップの位置ズレが起こり、その後の半導体チップのピックアップが上手くできなくなってしまう。【０００７】
さらに、本発明者の検討によれば、粘着性フィルムの変形や溶融を抑制するために、粘着性フィルムの耐熱性を高めると、粘着性フィルムの変形や溶融が抑制されて半導体チップの位置ズレは改善される一方で、今度は粘着性フィルムの伸縮性や柔軟性が悪化し、半導体チップのピックアップが上手くできなくなってしまうことが明らかになった。
すなわち、従来の半導体装置の製造方法では、高温または低温での半導体チップの動作確認の後における半導体チップのピックアップ性において改善の余地があった。【０００８】
そのため、従来の半導体装置の製造方法では、半導体チップのピックアップを上手くおこなう観点から、図４に示すように粘着性フィルム５０Ａ上の半導体チップ７０Ａをチップトレー８０Ａ等に一度ピックアップしてから、半導体チップ７０Ａをロボットにて移送して検査台９０Ａに配置し、高温または低温での半導体チップの動作確認を行い、その後、再び半導体チップ７０Ａをチップトレー８０Ａ等にピックアップしなければならず、工程が複雑になっていた。
すなわち、本発明者らは、従来の半導体装置の製造方法には、ダイシング工程から半導体チップの動作確認工程までの間の工程の簡略化と、半導体チップのピックアップ性とを両立させるという観点において、改善の余地があることを見出した。【０００９】
本発明は上記事情に鑑みてなされたものであり、ダイシング工程から半導体チップの動作確認工程までの間の工程を簡略化できるとともに、半導体チップを精度よくピックアップすることが可能な半導体装置の製造方法を提供するものである。
【課題を解決するための手段】
【００１０】
本発明者らは、上記課題を達成するために鋭意検討を重ねた。その結果、半導体チップを固定するフィルムとして、耐熱性樹脂層、柔軟性樹脂層および粘着性樹脂層をこの順番に有する粘着性積層フィルムを使用し、かつ、半導体チップのピックアップ工程の前に、上記耐熱性樹脂層を剥離することにより、ダイシング工程から半導体チップの動作確認工程までの間の工程の簡略化と、半導体チップのピックアップ性とを両立できることを見出して、本発明を完成させた。【００１１】
本発明によれば、以下に示す半導体装置の製造方法が提供される。【００１２】
［１］
耐熱性樹脂層、柔軟性樹脂層および粘着性樹脂層をこの順番に有する粘着性積層フィルムと、上記粘着性樹脂層上に貼り付けられた１または２以上の半導体チップと、を備える構造体を準備する工程（Ａ）と、
上記粘着性樹脂層上に貼り付けられた状態で、上記半導体チップの動作を確認する工程（Ｂ）と、
上記工程（Ｂ）の後に上記耐熱性樹脂層を上記粘着性積層フィルムから剥離する工程（Ｃ）と、
上記工程（Ｃ）の後に上記粘着性樹脂層から上記半導体チップをピックアップする工程（Ｄ）と、
を備える半導体装置の製造方法。
［２］
上記［１］に記載の半導体装置の製造方法において、
上記工程（Ｂ）では、０℃以下または５０℃以上２００℃以下の温度環境下で上記半導体チップの動作確認をおこなう半導体装置の製造方法。
［３］
上記［１］または［２］に記載の半導体装置の製造方法において、
上記工程（Ｄ）の前に上記粘着性積層フィルムに対して放射線を照射し、上記粘着性樹脂層を架橋させることで、上記半導体チップに対する上記粘着性樹脂層の粘着力を低下させる工程（Ｅ）をさらに備える半導体装置の製造方法。
［４］
上記［１］乃至［３］いずれか一つに記載の半導体装置の製造方法において、
上記工程（Ｄ）では、上記粘着性樹脂層における上記半導体チップが貼り付けられた領域をフィルムの面内方向に拡張させて、隣接する上記半導体チップ間の間隔を拡大させた状態で、上記粘着性樹脂層から上記半導体チップをピックアップする半導体装置の製造方法。
［５］
上記［１］乃至［４］いずれか一つに記載の半導体装置の製造方法において、
上記耐熱性樹脂層の融点が２００℃以上である、あるいは上記耐熱性樹脂層は融点を有さない半導体装置の製造方法。
［６］
上記［１］乃至［５］いずれか一つに記載の半導体装置の製造方法において、
上記柔軟性樹脂層の融点が１００℃以上２５０℃以下である半導体装置の製造方法。
［７］
上記［１］乃至［６］いずれか一つに記載の半導体装置の製造方法において、
上記耐熱性樹脂層を構成する耐熱性樹脂がポリイミド、ポリアミド、およびポリエステルからなる群から選択される一種または二種以上を含む半導体装置の製造方法。
［８］
上記［１］乃至［７］いずれか一つに記載の半導体装置の製造方法において、
上記柔軟性樹脂層を構成する柔軟性樹脂がポリエステル系エラストマー、ポリアミド系エラストマー、ポリイミド系エラストマー、およびポリブチレンテレフタレートからなる群から選択される一種または二種以上を含む半導体装置の製造方法。
［９］
上記［１］乃至［８］いずれか一つに記載の半導体装置の製造方法において、
上記粘着性樹脂層を構成する粘着剤が（メタ）アクリル系粘着剤、シリコーン系粘着剤、ウレタン系粘着剤、オレフィン系粘着剤、およびスチレン系粘着剤から選択される一種または二種以上を含む半導体装置の製造方法。
［１０］
上記［１］乃至［９］いずれか一つに記載の半導体装置の製造方法において、
上記粘着性積層フィルムの全光線透過率が８５％以上である半導体装置の製造方法。
【発明の効果】
【００１３】
本発明によれば、ダイシング工程から半導体チップの動作確認工程までの間の工程を簡略化できるとともに、半導体チップを精度よくピックアップすることが可能な半導体装置の製造方法を提供することができる。
【図面の簡単な説明】
【００１４】
上述した目的、およびその他の目的、特徴および利点は、以下に述べる好適な実施の形態、およびそれに付随する以下の図面によってさらに明らかになる。【００１５】
【図１】本発明に係る半導体装置の製造方法の一例を示すフロー図である。
【図２】本発明に係る実施形態の粘着性積層フィルムの構造の一例を模式的に示した断面図である。
【図３】本発明に係る実施形態の半導体装置の製造方法の一例を模式的に示した断面図である。
【図４】従来の半導体装置の製造方法の一例を模式的に示した断面図である。
【発明を実施するための形態】
【００１６】
以下、本発明の実施形態について、図面を用いて説明する。なお、すべての図面において、同様な構成要素には共通の符号を付し、適宜説明を省略する。また、図は概略図であり、実際の寸法比率とは一致していない。また、数値範囲の「Ａ〜Ｂ」は特に断りがなければ、Ａ以上Ｂ以下を表す。また、本実施形態において、「（メタ）アクリル」とは、アクリル、メタクリルまたはアクリルおよびメタクリルの両方を意味する。
【００１７】
図１は、本発明に係る半導体装置の製造方法の一例を示すフロー図である。図２は、本発明に係る実施形態の粘着性積層フィルム５０の構造の一例を模式的に示した断面図である。図３は、本発明に係る実施形態の半導体装置の製造方法の一例を模式的に示した断面図である。
【００１８】
本実施形態に係る半導体装置の製造方法は、以下の４つの工程を少なくとも備えている。
（Ａ）耐熱性樹脂層１０、柔軟性樹脂層２０および粘着性樹脂層３０をこの順番に有する粘着性積層フィルム５０と、粘着性樹脂層３０上に貼り付けられた１または２以上の半導体チップ７０と、を備える構造体１００を準備する工程
（Ｂ）粘着性樹脂層３０上に貼り付けられた状態で、半導体チップ７０の動作を確認する工程
（Ｃ）工程（Ｂ）の後に耐熱性樹脂層１０を粘着性積層フィルム５０から剥離する工程
（Ｄ）工程（Ｃ）の後に粘着性樹脂層３０から半導体チップ７０をピックアップする工程
【００１９】
本発明者らの検討によれば、従来の半導体装置の製造方法に関し、以下のような課題を見出した。
まず、本発明者は、従来の半導体装置の製造方法において、高温または低温で半導体チップの動作確認をおこなう際に、半導体チップを固定する粘着性フィルムが変形したり、溶融したりすることを知見した。この場合、粘着性フィルム上の半導体チップの位置ズレが起こり、その後の半導体チップのピックアップが上手くできなくなってしまう。
さらに、本発明者の検討によれば、粘着性フィルムの変形や溶融を抑制するために、粘着性フィルムの耐熱性を高めると、粘着性フィルムの変形や溶融が抑制されて半導体チップの位置ズレは改善される一方で、今度は粘着性フィルムの伸縮性や柔軟性が悪化し、半導体チップのピックアップが上手くできなくなってしまうことが明らかになった。
すなわち、従来の半導体装置の製造方法では、高温または低温での半導体チップの動作確認の後における半導体チップのピックアップ性において改善の余地があった。
【００２０】
そのため、従来の半導体装置の製造方法では、半導体チップのピックアップを上手くおこなう観点から、図４に示すように粘着性フィルム５０Ａ上の半導体チップ７０Ａをチップトレー８０Ａ等に一度ピックアップしてから、半導体チップ７０Ａをロボットにて移送して検査台９０Ａに配置し、高温または低温での半導体チップの動作確認を行い、その後、再び半導体チップ７０Ａをチップトレー８０Ａ等にピックアップしなければならず、工程が複雑になっていた。
すなわち、本発明者らは、従来の半導体装置の製造方法には、ダイシング工程から半導体チップの動作確認工程までの間の工程の簡略化と、半導体チップのピックアップ性とを両立させるという観点において、改善の余地があることを見出した。
【００２１】
本発明者らは、上記課題を達成するために鋭意検討を重ねた。その結果、耐熱性樹脂層１０、柔軟性樹脂層２０および粘着性樹脂層３０をこの順番に有する粘着性積層フィルム５０を使用し、かつ、半導体チップ７０のピックアップ工程の前に、耐熱性樹脂層１０を剥離することにより、ダイシング工程から半導体チップの動作確認工程までの間の工程の簡略化と、半導体チップのピックアップ性とを両立できることを見出した。
すなわち、耐熱性樹脂層１０を有する粘着性積層フィルム５０を使用して上記工程（Ｂ）をおこなうことで、耐熱性樹脂層１０により粘着性樹脂層３０の変形や溶融が抑制されて半導体チップ７０の位置ズレを抑制でき、その結果、上記工程（Ｄ）での半導体チップ７０のピックアップをより正確におこなうことができる。
また、上記工程（Ｂ）の後に上記工程（Ｃ）をおこなうことで伸縮性や柔軟性に劣る耐熱性樹脂層１０が除去されるため、上記工程（Ｄ）において、粘着性樹脂層３０および柔軟性樹脂層２０を備えるフィルムの伸縮性や柔軟性が良好になり、上記工程（Ｄ）での半導体チップ７０のピックアップをより容易におこなうことができる。
さらに、粘着性積層フィルム５０上に貼り付けたまま、高温または低温での半導体チップ７０の動作確認をおこなうことができるため、半導体チップ７０の動作確認の前に粘着性積層フィルム５０から半導体チップ７０をピックアップしてチップトレー等に移動させる必要がなく、ダイシング工程から半導体チップの動作確認工程までの間の工程を簡略化することができる。
以上のように、本実施形態に係る半導体装置の製造方法によれば、上記工程（Ａ）〜（Ｄ）を備えることで、ダイシング工程から半導体チップの動作確認工程までの間の工程を簡略化できるとともに、半導体チップを精度よくピックアップすることが可能となる。
【００２２】
１．粘着性積層フィルム
はじめに、本実施形態に係る半導体装置の製造方法で用いる粘着性積層フィルム５０について説明する。
【００２３】
ここで、本実施形態において、耐熱性とは高温または低温におけるフィルムや樹脂層の寸法安定性を意味する。すなわち、耐熱性に優れるフィルムや樹脂層ほど、高温または低温における膨張や収縮、軟化等の変形や溶融等が起き難いことを意味する。
【００２４】
＜耐熱性樹脂層＞
耐熱性樹脂層１０は、粘着性積層フィルム５０の取り扱い性や機械的特性、耐熱性等の特性をより良好にすることを目的として設けられる層である。
耐熱性樹脂層１０は、高温または低温で半導体チップの動作確認をおこなう際に、半導体チップの位置ズレが起きるほどの変形や溶融が起きない程度の耐熱性があれば特に限定されないが、例えば、耐熱性樹脂フィルムを用いることができる。
【００２５】
上記耐熱性樹脂フィルムを構成する樹脂としては、例えば、ポリエチレンテレフタレート、ポリブチレンテレフタレート、ポリエチレンナフタレート等のポリエステル；ナイロン−６、ナイロン−６６、ポリメタキシレンアジパミド等のポリアミド；ポリイミド；ポリエーテルイミド；ポリアミドイミド；ポリカーボネート；変性ポリフェニレンエーテル；ポリアセタール；ポリアリレート；ポリスルホン；ポリエーテルスルホン；ポリフェニレンスルフィド；ポリエーテルエーテルケトン；フッ素系樹脂；液晶ポリマー；塩化ビニリデン樹脂；ポリベンゾイミダゾール；ポリベンゾオキサゾール；ポリメチルペンテン等から選択される一種または二種以上を挙げることができる。
【００２６】
これらの中でも、耐熱性や機械的強度、透明性、価格等のバランスに優れる観点から、ポリイミド、ポリアミド、およびポリエステルから選択される一種または二種以上が好ましい。
【００２７】
耐熱性樹脂層１０の融点は２００℃以上であることが好ましく、２２０℃以上であることがより好ましい。あるいは、耐熱性樹脂層１０は融点を示さないものであることが好ましく、分解温度が２００℃以上であることがより好ましく、分解温度が２２０℃以上であることがさらに好ましい。
このような耐熱性樹脂層１０を用いると、高温または低温での動作確認試験の際の粘着性積層フィルム５０の変形をより一層抑制することができる。
【００２８】
耐熱性樹脂層１０は、単層であっても、二種以上の層であってもよい。
また、耐熱性樹脂層１０を形成するために使用する樹脂フィルムの形態としては、延伸フィルムであってもよいし、一軸方向または二軸方向に延伸したフィルムであってもよいが、耐熱性樹脂層１０の耐熱性および機械的強度を向上させる観点から、一軸方向または二軸方向に延伸したフィルムであることが好ましい。
【００２９】
耐熱性樹脂層１０の厚さは、良好なフィルム特性を得る観点から、好ましくは１０μｍ以上１０００μｍ以下、より好ましくは１０μｍ以上５００μｍ以下、さらに好ましくは２０μｍ以上３００μｍ以下である。
耐熱性樹脂層１０は他の層との接着性を改良するために、表面処理を行ってもよい。具体的には、コロナ処理、プラズマ処理、アンダーコート処理、プライマーコート処理等を行ってもよい。
【００３０】
耐熱性樹脂層１０は柔軟性樹脂層２０に対して剥離可能なように積層されている。
剥離可能に積層する方法は特に限定されないが、例えば、剥離可能な接着層（図示しない）を介して積層する方法や、耐熱性樹脂層１０の柔軟性樹脂層２０と接する側の表面の表面粗さを調整し、かつ、その表面を離型処理する方法等が挙げられる。剥離可能な接着層とは、剥離の際に放射線や熱等の何らかの刺激を加えることによって容易に剥離することが可能な層をいう。
【００３１】
このような剥離可能な接着層としては、例えば、（１）放射線照射により粘着力の昂進を抑制できる放射線架橋型粘着剤により構成された接着層、（２）加熱により膨張して粘着力の昂進を抑制できる加熱膨張型粘着剤により構成された接着層、（３）加熱により収縮して粘着力の昂進を抑制できる、収縮性フィルムを基材とした両面粘着性フィルムにより構成された接着層、（４）高温または低温での処理後も粘着力の昂進を抑制できる耐熱性接着層等が挙げられる。
【００３２】
（（１）放射線照射により粘着力の昂進を抑制できる放射線架橋型粘着剤により構成された接着層）
放射線架橋型粘着剤は、放射線照射前には耐熱性樹脂層１０および柔軟性樹脂層２０に対して十分な接着力を有し、放射線照射後には粘着力の昂進を抑制できるものである。すなわち、放射線照射前には耐熱性樹脂層１０および柔軟性樹脂層２０を接着でき、放射線照射後には柔軟性樹脂層２０から耐熱性樹脂層１０を容易に剥離することができる。
放射線架橋型粘着剤としては、一般的に公知の紫外線架橋型粘着剤等の放射線架橋型粘着剤を用いることができる。
【００３３】
（（２）加熱により膨張して粘着力の昂進を抑制できる加熱膨張型粘着剤により構成された接着層）
加熱膨張型粘着剤は粘着剤中に熱膨張性微粒子や発泡剤等が分散している粘着剤をいう。粘着剤としては、一般的に公知の粘着剤を用いることができ、例えば、（メタ）アクリル系粘着剤、シリコーン系粘着剤、ゴム系粘着剤、ポリウレタン系粘着剤、ポリビニルエーテル系粘着剤等が挙げられる。
熱膨張性微粒子としては、例えば、イソブタン、プロパン、ペンタン等の加熱によって容易にガス化して膨張する物質を、弾性を有する殻内に内包させた微粒子が挙げられる。
発泡剤としては、例えば、熱分解して、水、炭酸ガス、窒素を発生させる能力を有する化学物質等が挙げられる。
加熱により、熱膨張性微粒子や発泡剤が膨張すると、接着層の表面状態が変化し、柔軟性樹脂層２０と耐熱性樹脂層１０との粘着力の昂進を抑制することができ、その結果、柔軟性樹脂層２０から耐熱性樹脂層１０を容易に剥離することができる。
【００３４】
（（３）加熱により収縮して粘着力の昂進を抑制できる、収縮性フィルムを基材とした両面粘着性フィルムにより構成された接着層）
収縮性フィルムを基材とした両面粘着性フィルムに使用される収縮フィルムとしては、加熱により収縮する熱収縮フィルムが挙げられる。例えば、ポリエチレンテレフタレート、ポリエチレン、ポリスチレン、ポリプロピレン、ポリアミド、ポリウレタン、ポリ塩化ビニル、ポリ塩化ビニリデン等の一軸または二軸延伸フィルム等を挙げることができる。
収縮性フィルムの両面に設けられる粘着剤としては、一般的に公知の粘着剤を用いることができ、例えば、（メタ）アクリル系粘着剤、シリコーン系粘着剤、ゴム系粘着剤、ポリウレタン系粘着剤、ポリビニルエーテル系粘着剤等が挙げられる。
加熱により、基材の収縮性フィルムが収縮すると、接着層の表面状態が変化し、柔軟性樹脂層２０と耐熱性樹脂層１０との粘着力の昂進を抑制することができ、その結果、柔軟性樹脂層２０から耐熱性樹脂層１０を容易に剥離することができる。
【００３５】
（（４）高温または低温での処理後も粘着力の昂進を抑制できる耐熱性接着層）
高温または低温での処理後も粘着力の昂進を抑制できる耐熱性接着層を構成する粘着剤は、（メタ）アクリル系粘着剤、シリコーン系粘着剤、ウレタン系粘着剤、オレフィン系粘着剤、スチレン系粘着剤等が挙げられる。
ここで、（メタ）アクリル系粘着剤は（メタ）アクリル系粘着性樹脂を必須成分として含んでいる。シリコーン系粘着剤はシリコーン系粘着性樹脂を必須成分として含んでいる。ウレタン系粘着剤はウレタン系粘着性樹脂を必須成分として含んでいる。
これらの中でも耐熱性樹脂層１０と柔軟性樹脂層２０との間の剥離強度の調整をより容易にする観点等から、（メタ）アクリル系粘着剤が好ましい。
【００３６】
（メタ）アクリル系粘着剤に使用される（メタ）アクリル系粘着性樹脂としては、例えば、（メタ）アクリル酸アルキルエステルモノマー単位（Ａ）および架橋剤と反応し得る官能基を有するモノマー単位（Ｂ）を含む共重合体が挙げられる。
本実施形態において、（メタ）アクリル酸アルキルエステルとは、アクリル酸アルキルエステル、メタクリル酸アルキルエステル、またはこれらの混合物を意味する。
【００３７】
本実施形態に係る（メタ）アクリル系粘着性樹脂は、例えば、（メタ）アクリル酸アルキルエステルモノマー（Ａ）および架橋剤と反応し得る官能基を有するモノマー（Ｂ）を含むモノマー混合物を共重合することにより得ることができる。
【００３８】
（メタ）アクリル酸アルキルエステルモノマー単位（Ａ）を形成するモノマー（Ａ）としては、炭素数１〜１２程度のアルキル基を有する（メタ）アクリル酸アルキルエステルが挙げられる。好ましくは、炭素数１〜８のアルキル基を有する（メタ）アクリル酸アルキルエステルである。具体的には、アクリル酸メチル、メタクリル酸メチル、アクリル酸エチル、メタクリル酸エチル、アクリル酸ブチル、メタクリル酸ブチル、アクリル酸−２−エチルヘキシル、メタクリル酸−２−エチルヘキシル等が挙げられる。これらは単独で使用してもよいし、２種以上を使用してもよい。
本実施形態に係る（メタ）アクリル系粘着性樹脂において、（メタ）アクリル酸アルキルエステルモノマー単位（Ａ）の含有量は、（メタ）アクリル系粘着性樹脂中の全モノマー単位の合計を１００質量％としたとき、１０質量％以上９８．９質量％以下であることが好ましく、８５質量％以上９５質量％以下であることがより好ましい。
【００３９】
架橋剤と反応し得る官能基を有するモノマー（Ｂ）を形成するモノマー（Ｂ）としては、アクリル酸、メタクリル酸、イタコン酸、メサコン酸、シトラコン酸、フマル酸、マレイン酸、イタコン酸モノアルキルエステル、メサコン酸モノアルキルエステル、シトラコン酸モノアルキルエステル、フマル酸モノアルキルエステル、マレイン酸モノアルキルエステル、アクリル酸グリシジル、メタクリル酸グリシジル、アクリル酸−２−ヒドロキシエチル、メタクリル酸−２−ヒドロキシエチル、アクリルアミド、メタクリルアミド、ターシャル−ブチルアミノエチルアクリレート、ターシャル−ブチルアミノエチルメタクリレート等が挙げられる。好ましくは、アクリル酸、メタクリル酸、アクリル酸−２−ヒドロキシエチル、メタクリル酸−２−ヒドロキシエチル、アクリルアミド、メタクリルアミド等である。これらは単独で使用してもよいし、２種以上を使用してもよい。
本実施形態に係る（メタ）アクリル系粘着性樹脂において、モノマー単位（Ｂ）の含有量は、（メタ）アクリル系粘着性樹脂中の全モノマー単位の合計を１００質量％としたとき、１質量％以上４０質量％以下であることが好ましく、１質量％以上２０質量％以下であることがより好ましく、１質量％以上１０質量％以下であることがさらに好ましい。
【００４０】
本実施形態に係る（メタ）アクリル系粘着性樹脂は、モノマー単位（Ａ）およびモノマー単位（Ｂ）以外に、２官能性モノマー（Ｃ）や界面活性剤としての性質を有する特定のコモノマー（以下、重合性界面活性剤と称する）単位をさらに含んでもよい。
重合性界面活性剤は、モノマー（Ａ）、モノマー（Ｂ）およびモノマー（Ｃ）と共重合する性質を有すると共に、乳化重合する場合には乳化剤としての作用を有する。
【００４１】
２官能性モノマー単位（Ｃ）を形成するモノマー（Ｃ）としては、メタクリル酸アリル、アクリル酸アリル、ジビニルベンゼン、メタクリル酸ビニル、アクリル酸ビニル、トリメチロールプロパントリ（メタ）アクリレート、ペンタエリスリトールトリ（メタ）アクリレート、ジペンタエリスリトールヘキサ(メタ)アクリレート、テトラエチレングリコールジ（メタ）アクリレートや、例えば、両末端がジアクリレートまたはジメタクリレートで主鎖の構造がプロピレングリコール型（例えば、日本油脂（株）製、商品名；ＰＤＰ−２００、同ＰＤＰ−４００、同ＡＤＰ−２００、同ＡＤＰ−４００）、テトラメチレングリコール型（例えば、日本油脂（株）製、商品名；ＡＤＴ−２５０、同ＡＤＴ−８５０）およびこれらの混合型（例えば、日本油脂（株）製、商品名：ＡＤＥＴ−１８００、同ＡＤＰＴ−４０００）であるもの等が挙げられる。
【００４２】
本実施形態に係る（メタ）アクリル系粘着性樹脂において、モノマー単位（Ｃ）の含有量は、（メタ）アクリル系粘着性樹脂中の全モノマー単位の合計を１００質量％としたとき、０．１質量％以上３０質量％以下であることが好ましく、０．１質量％以上５質量％以下であることがより好ましい。
【００４３】
重合性界面活性剤の例としては、例えば、ポリオキシエチレンノニルフェニルエーテルのベンゼン環に重合性の１−プロペニル基を導入したもの（第一工業製薬（株）製；商品名：アクアロンＲＮ−１０、同ＲＮ−２０、同ＲＮ−３０、同ＲＮ−５０等）、ポリオキシエチレンノニルフェニルエーテルの硫酸エステルのアンモニウム塩のベンゼン環に重合性の１−プロペニル基を導入したもの（第一工業製薬（株）製；商品名：アクアロンＨＳ−１０、同ＨＳ−２０、同ＨＳ−１０２５等）、および分子内に重合性二重結合を持つ、スルホコハク酸ジエステル系（花王（株）製；商品名：ラテムルＳ−１２０Ａ、同Ｓ−１８０Ａ等）等が挙げられる。
【００４４】
本実施形態に係る（メタ）アクリル系粘着性樹脂は、必要に応じて、酢酸ビニル、アクリロニトリル、スチレン等の重合性２重結合を有するモノマーにより形成されたモノマー単位をさらに含有してもよい。
【００４５】
本実施形態に係る（メタ）アクリル系粘着性樹脂の重合反応機構としては、ラジカル重合、アニオン重合、カチオン重合等が挙げられる。（メタ）アクリル系粘着性樹脂の製造コスト、モノマーの官能基の影響等を等慮すればラジカル重合によって重合することが好ましい。
ラジカル重合反応によって重合する際、ラジカル重合開始剤として、ベンゾイルパーオキサイド、ジ−ｔ−ブチルパーオキサイド、ジクミルパーオキサイド、３，３，５−トリメチルヘキサノイルパーオキサイド、ジ−２−エチルヘキシルパーオキシジカーボネート、メチルエチルケトンパーオキサイド、ｔ−ブチルパーオキシフタレート、ｔ−ブチルパーオキシベンゾエート、ジ−ｔ−ブチルパーオキシアセテート、ｔ−ブチルパーオキシイソブチレート、ｔ−ブチルパーオキシ−２−ヘキサノエート、ｔ−ブチルパーオキシ−２−エチルヘキサノエート、ｔ−ブチルパーオキシ−３，５，５−トリメチルヘキサノエート、アセチルパーオキサイド、イソブチリルパーオキサイド、オクタノイルパーオキサイド、ｔ−ブチルパーオキサイド、ジ−ｔ−アミルパーオキサイド等の有機過酸化物；過硫酸アンモニウム、過硫酸カリウム、過硫酸ナトリウム等の無機過酸化物；２，２'−アゾビスイソブチロニトリル、２，２'−アゾビス−２−メチルブチロニトリル、４，４'−アゾビス−４−シアノバレリックアシッド等のアゾ化合物が挙げられる。
【００４６】
乳化重合法により重合する場合には、これらのラジカル重合開始剤の中で、水溶性の過硫酸アンモニウム、過硫酸カリウム、過硫酸ナトリウム等の無機過酸化物、同じく水溶性の４，４'−アゾビス−４−シアノバレリックアシッド等の分子内にカルボキシル基を持ったアゾ化合物が好ましく、過硫酸アンモニウム、４，４'−アゾビス−４−シアノバレリックアシッド等の分子内にカルボキシル基を有するアゾ化合物がさらに好ましく、４，４'−アゾビス−４−シアノバレリックアシッド等の分子内にカルボキシル基を有するアゾ化合物が特に好ましい。
【００４７】
（メタ）アクリル系粘着剤は、（メタ）アクリル系粘着性樹脂に加えて、架橋性の官能基を１分子中に２個以上有する架橋剤をさらに含むことが好ましい。
架橋性の官能基を１分子中に２個以上有する架橋剤は、（メタ）アクリル系粘着性樹脂が有する官能基と反応させ、粘着力および凝集力を調整するために用いる。
このような架橋剤としては、ソルビトールポリグリシジルエーテル、ポリグリセロールポリグリシジルエーテル、ペンタエリスリトールポリグリシジルエーテル、ジグリセロールポリグリシジルエーテル、グリセロールポリグリシジルエーテル、ネオペンチルグリコールジグリシジルエーテル、レソルシンジグリシジルエーテル等のエポキシ系化合物；テトラメチレンジイソシアネート、ヘキサメチレンジイソシアネート、トリメチロールプロパンのトルエンジイソシアネート３付加物、ポリイソシアネート、ジフェニルメタンジイソシアネート、トリレンジイソシアネート等のイソシアネート系化合物；トリメチロールプロパン−トリ−β−アジリジニルプロピオネート、テトラメチロールメタン−トリ−β−アジリジニルプロピオネート、Ｎ，Ｎ'−ジフェニルメタン−４，４'−ビス（１−アジリジンカルボキシアミド）、Ｎ，Ｎ'−ヘキサメチレン−１，６−ビス（１−アジリジンカルボキシアミド）、Ｎ，Ｎ'−トルエン−２，４−ビス（１−アジリジンカルボキシアミド）、トリメチロールプロパン−トリ−β−（２−メチルアジリジン）プロピオネート等のアジリジン系化合物；Ｎ，Ｎ，Ｎ'，Ｎ'−テトラグリシジル−ｍ−キシレンジアミン、１，３−ビス（Ｎ，Ｎ'−ジグリシジルアミノメチル）シクロヘキサン等の４官能性エポキシ系化合物；ヘキサメトキシメチロールメラミン等のメラミン系化合物等が挙げられる。これらは単独で使用してもよいし、２種以上を併用してもよい。
これらの中でも、エポキシ系化合物、イソシアネート系化合物およびアジリジン系化合物から選択される一種または二種以上を含むことが好ましい。
【００４８】
（メタ）アクリル系粘着剤中の架橋剤の含有量は、接着層の耐熱性や密着力とのバランスを向上させる観点から、（メタ）アクリル系粘着性樹脂１００質量部に対し、１０質量部以上５０質量部以下であることが好ましく、１２質量部以上３０質量部以下がより好ましい。
また、（メタ）アクリル系粘着剤中の架橋剤の含有量を調整することにより、耐熱性樹脂層１０と柔軟性樹脂層２０との間の剥離強度を調整することができる。
【００４９】
本実施形態に係る（メタ）アクリル系粘着剤は、粘着性樹脂に加えて、紫外線重合開始剤をさらに含んでもよい。これにより紫外線照射による硬化時間ならびに紫外線照射量を少なくすることができる。
紫外線重合開始剤の例には、メトキシアセトフェノン等のアセトフェノン系光重合開始剤；４−（２−ヒドロキシエトキシ）フェニル（２−ヒドロキシ−２−プロピル）ケトン等のα−ケトール化合物；ベンジルジメチルケタール等のケタール系化合物；ベンゾイン、ベンゾインメチルエーテル、ベンゾインエチルエーテル、ベンゾインイソプロピルエーテル、等のベンゾイン系光重合開始剤；ベンゾフェノン、ベンゾイル安息香酸等のベンゾフェノン系光重合開始剤等が挙げられる。
粘着剤中の紫外線重合開始剤の含有量は、粘着性樹脂１００質量部に対し、０．１質量部以上１０質量部以下であることが好ましく、２．５質量部以上５質量部以下であることがより好ましい。
【００５０】
剥離可能な接着層の厚さは特に制限されないが、例えば、１μｍ以上１００μｍ以下であることが好ましく、３μｍ以上５０μｍ以下であることがより好ましい。
【００５１】
剥離可能な接着層は、例えば、耐熱性樹脂層１０または柔軟性樹脂層２０上に粘着剤塗布液を塗布することにより形成することができる。
粘着剤塗布液を塗布する方法としては、従来公知の塗布方法、例えば、ロールコーター法、リバースロールコーター法、グラビアロール法、バーコート法、コンマコーター法、ダイコーター法等が採用できる。塗布された粘着剤の乾燥条件には特に制限はないが、一般的には、８０〜２００℃の温度範囲において、１０秒〜１０分間乾燥することが好ましい。さらに好ましくは、８０〜１７０℃において、１５秒〜５分間乾燥する。架橋剤と粘着剤との架橋反応を十分に促進させるために、粘着剤塗布液の乾燥が終了した後、４０〜８０℃において５〜３００時間程度加熱してもよい。
【００５２】
また、本実施形態に係る粘着性積層フィルム５０において、耐熱性樹脂層１０の柔軟性樹脂層２０と接する側の表面の表面粗さを調整し、かつ、その表面を離型処理することによっても、耐熱性樹脂層１０と柔軟性樹脂層２０との間の剥離強度を調整することが可能である。
ここで、ＪＩＳ−Ｂ０６０１により規定される、耐熱性樹脂層１０の柔軟性樹脂層２０と接する側の表面の表面粗さ（Ｒａ）は好ましくは０．１０μｍ以上１０μｍ以下である。
また、耐熱性樹脂層１０の柔軟性樹脂層２０と接する側の表面がシリコーンやポリテトラフルオロエチレンなどの離型剤により離型処理されていることが好ましい。
【００５３】
（柔軟性樹脂層）
柔軟性樹脂層２０は、粘着性積層フィルム５０の柔軟性や伸縮性等の特性を良好にすることを目的として設けられる層である。
柔軟性樹脂層２０を設けることにより、耐熱性樹脂層１０を剥離した後の粘着性積層フィルム５０の伸縮性や柔軟性が向上し、半導体チップ７０をピックアップする工程（Ｄ）において粘着性積層フィルム５０を面内方向に拡張させることができる。
こうすることにより、隣接する半導体チップ７０間の間隔が拡大するため、粘着性積層フィルム５０から半導体チップ７０をピックアップし易くなる。さらに、粘着性積層フィルム５０の面内方向の拡張によって生じる、半導体チップ７０と粘着性樹脂層３０とのずり応力により、半導体チップ７０と粘着性樹脂層３０との粘着力が低下するため、粘着性積層フィルム５０から半導体チップ７０をピックアップし易くなる。
【００５４】
柔軟性樹脂層２０は面内方向に拡張できるものであれば特に限定されないが、柔軟性や伸縮性等の特性に優れ、かつ、高温または低温で半導体チップの動作確認をおこなう際に耐熱性樹脂層１０と粘着性樹脂層３０との接着性を維持できる程度の耐熱性があるものが好ましい。
上記柔軟性樹脂層２０を構成する柔軟性樹脂としては、例えば、ポリエステル系エラストマー、ポリアミド系エラストマー、ポリイミド系エラストマー、およびポリブチレンテレフタレート等から選択される一種または二種以上が挙げられる。
【００５５】
ＪＩＳ  Ｋ７１６１に準拠し、サンプル幅１０ｍｍ、チャック間距離３０ｍｍ、引張速度３００ｍｍ／分の条件で測定される、柔軟性樹脂層２０の１６０℃での引張弾性率（Ｅ'）が１ＭＰa以上３００ＭＰa以下であることが好ましく、５ＭＰa以上１５０ＭＰa以下であることがより好ましい。これにより、柔軟性樹脂層２０の柔軟性や伸縮性等の特性を良好に保ちつつ、高温または低温で半導体チップ７０の動作確認工程をおこなう際の粘着性積層フィルム５０の熱膨張をより一層抑制することができる。
【００５６】
柔軟性樹脂層２０の融点は１００℃以上２５０℃以下であることが好ましい。
このような柔軟性樹脂層２０を用いると、高温または低温での動作確認試験の際の粘着性積層フィルム５０の変形をより一層抑制することができる。
【００５７】
柔軟性樹脂層２０の厚みは特に制限されないが、例えば、１０μｍ以上５００μｍ以下であることが好ましく、２０μｍ以上３００μｍ以下であることがより好ましく、３０μｍ以上２５０μｍ以下であることがさらに好ましく、５０μｍ以上２００μｍ以下であることが特に好ましい。
【００５８】
＜粘着性樹脂層＞
粘着性樹脂層３０は、柔軟性樹脂層２０の一方の面側に設けられる層であり、粘着性積層フィルム５０を半導体基板に貼り付ける際に、半導体基板の表面に接触して粘着する層である。
【００５９】
粘着性樹脂層３０を構成する粘着剤は、（メタ）アクリル系粘着剤、シリコーン系粘着剤、ウレタン系粘着剤、オレフィン系粘着剤、スチレン系粘着剤等が挙げられる。これらの中でも、接着力の調整を容易にできる点等から、（メタ）アクリル系重合体をベースポリマーとする（メタ）アクリル系粘着剤が好ましい。
【００６０】
粘着性樹脂層３０を構成する粘着剤としては、放射線により粘着力を低下させる放射線架橋型粘着剤を用いることができる。放射線架橋型粘着剤により構成された粘着性樹脂層３０は、放射線の照射により架橋して粘着力が著しく減少するため、半導体チップ７０のピックアップ工程において、粘着性樹脂層３０から半導体チップ７０をピックアップし易くなる。放射線としては、紫外線、電子線、赤外線等が挙げられる。
放射線架橋型粘着剤としては、紫外線架橋型粘着剤が好ましい。
【００６１】
（メタ）アクリル系粘着剤に含まれる（メタ）アクリル系重合体としては、例えば、（メタ）アクリル酸エステル化合物の単独重合体、（メタ）アクリル酸エステル化合物とコモノマーとの共重合体等が挙げられる。（メタ）アクリル酸エステル化合物としては、例えば、メチル（メタ）アクリレート、エチル（メタ）アクリレート、ブチル（メタ）アクリレート、２−エチルヘキシル（メタ）アクリレート、ヒドロキシエチル（メタ）アクリレート、ヒドロキシプロピル（メタ）アクリレート、ジメチルアミノエチル（メタ）アクリレート、グリシジル（メタ）アクリレート等が挙げられる。これらの（メタ）アクリル酸エステル化合物は一種単独で用いてもよく、二種以上を併用して用いてもよい。
また、（メタ）アクリル系共重合体を構成するコモノマーとしては、例えば、酢酸ビニル、（メタ）アクリルニトリル、スチレン、（メタ）アクリル酸、イタコン酸、（メタ）アクリルアマイド、メチロール（メタ）アクリルアマイド、無水マレイン酸等が挙げられる。これらのコモノマーは一種単独で用いてもよく、二種以上を併用して用いてもよい。
【００６２】
放射線架橋型粘着剤は、例えば、上記（メタ）アクリル系粘着剤等の粘着剤と、架橋性化合物（炭素−炭素二重結合を有する成分）と、光重合開始剤または熱重合開始剤と、を含む。
【００６３】
架橋性化合物としては、例えば、分子中に炭素−炭素二重結合を有し、ラジカル重合により架橋可能なモノマー、オリゴマーまたはポリマー等が挙げられる。このような架橋性化合物としては、例えば、トリメチロールプロパントリ（メタ）アクリレート、ペンタエリスリトールトリ（メタ）アクリレート、テトラエチレングリコールジ（メタ）アクリレート、１，６−ヘキサンジオールジ（メタ）アクリレート、ネオペンチルグリコールジ（メタ）アクリレート、ジペンタエリスリトールヘキサ（メタ）アクリレート等の（メタ）アクリル酸と多価アルコールとのエステル；エステル（メタ）アクリレートオリゴマー；２−プロペニルジ−３−ブテニルシアヌレート、２−ヒドロキシエチルビス（２−（メタ）アクリロキシエチル）イソシアヌレート、トリス（２−メタクリロキシエチル）イソシアヌレート等のイソシアヌレートまたはイソシアヌレート化合物等が挙げられる。
なお、粘着剤が、ポリマーの側鎖に炭素−炭素二重結合を有する放射線架橋型ポリマーである場合は、架橋性化合物を加えなくてもよい。
【００６４】
架橋性化合物の含有量は、粘着剤１００質量部に対して５〜９００質量部が好ましく、５〜１００質量部がより好ましく、１０〜５０質量部がさらに好ましい。架橋性化合物の含有量が上記範囲であることにより、上記範囲よりも少ない場合に比べて粘着力の調整がし易くなり、上記範囲よりも多い場合に比べて、熱や光に対する感度が高すぎることによる保存安定性の低下が起こりにくい。
【００６５】
光重合開始剤としては、放射線を照射することにより開裂しラジカルを生成する化合物であればよく、例えば、ベンゾインメチルエーテル、ベンゾインイソプロピルエーテル、ベンゾインイソブチルエーテル等のベンゾインアルキルエーテル類；ベンジル、ベンゾイン、ベンゾフェノン、α−ヒドロキシシクロヘキシルフェニルケトン等の芳香族ケトン類；ベンジルジメチルケタール等の芳香族ケタール類；ポリビニルベンゾフェノン；クロロチオキサントン、ドデシルチオキサントン、ジメチルチオキサントン、ジエチルチオキサントン等のチオキサントン類等が挙げられる。
【００６６】
熱重合開始剤としては、例えば、有機過酸化物誘導体やアゾ系重合開始剤等が挙げられる。加熱時に窒素が発生しない点から、好ましくは有機過酸化物誘導体である。熱重合開始剤としては、例えば、ケトンパーオキサイド、パーオキシケタール、ハイドロパーオキサイド、ジアルキルパーオキサイド、ジアシルパーオキサイド、パーオキシエステルおよびパーオキシジカーボネート等が挙げられる。
【００６７】
粘着剤には架橋剤を添加してもよい。架橋剤としては、例えば、ソルビトールポリグリシジルエーテル、ポリグリセロールポリグリシジルエーテル、ペンタエリストールポリグリシジルエーテル、ジグリセロールポリグリシジルエーテル等のエポキシ系化合物；テトラメチロールメタン−トリ−β−アジリジニルプロピオネート、トリメチロールプロパン−トリ−β−アジリジニルプロピオネート、Ｎ，Ｎ'−ジフェニルメタン−４，４'−ビス（１−アジリジンカルボキシアミド）、Ｎ，Ｎ'−ヘキサメチレン−１，６−ビス（１−アジリジンカルボキシアミド）等のアジリジン系化合物；テトラメチレンジイソシアネート、ヘキサメチレンジイソシアネート、ポリイソシアネート等のイソシアネート系化合物等が挙げられる。
架橋剤の含有量は、粘着性樹脂層３０の耐熱性や密着力とのバランスを向上させる観点から、（メタ）アクリル系重合体１００質量部に対し、０．１質量部以上１０質量部以下であることが好ましい。
【００６８】
粘着性樹脂層３０の厚みは特に制限されないが、例えば、１μｍ以上１００μｍ以下であることが好ましく、３μｍ以上５０μｍ以下であることがより好ましい。
【００６９】
粘着性樹脂層３０は、例えば、柔軟性樹脂層２０上に粘着剤塗布液を塗布することにより形成することができる。
粘着剤塗布液を塗布する方法としては、従来公知の塗布方法、例えば、ロールコーター法、リバースロールコーター法、グラビアロール法、バーコート法、コンマコーター法、ダイコーター法等が採用できる。塗布された粘着剤の乾燥条件には特に制限はないが、一般的には、８０〜２００℃の温度範囲において、１０秒〜１０分間乾燥することが好ましい。更に好ましくは、８０〜１７０℃において、１５秒〜５分間乾燥する。架橋剤と粘着剤との架橋反応を十分に促進させるために、粘着剤塗布液の乾燥が終了した後、４０〜８０℃において５〜３００時間程度加熱してもよい。
【００７０】
本実施形態に係る粘着性積層フィルム５０は、粘着性樹脂層３０上に離型フィルムをさらに積層させてもよい。離型フィルムとしては、例えば、離型処理が施されたポリエステルフィルム等が挙げられる。
【００７１】
本実施形態に係る粘着性積層フィルム５０の全光線透過率は、好ましくは８５％以上であり、より好ましくは９０％以上である。こうすることで、粘着性積層フィルム５０に透明性を付与することができる。そして、粘着性積層フィルム５０の全光線透過率を上記下限値以上とすることにより、本実施形態に係る粘着性積層フィルム５０において耐熱性樹脂層１０側から放射線を照射する際に、粘着性樹脂層３０へより効果的に放射線を照射することができ、放射線照射効率を向上させることができる。なお、粘着性積層フィルム５０の全光線透過率は、ＪＩＳ  Ｋ７１０５（１９８１）に準じて測定することが可能である。
【００７２】
次に、本実施形態に係る粘着性積層フィルム５０の製造方法の一例について説明する。
まず、耐熱性樹脂層１０の一方の面に柔軟性樹脂層２０を押出しラミネート法によって形成する。次いで、柔軟性樹脂層２０上に粘着剤塗布液を塗布し乾燥させることによって、粘着性樹脂層３０を形成し、粘着性積層フィルム５０が得られる。
また、耐熱性樹脂層１０と柔軟性樹脂層２０とは共押出成形によって形成してもよいし、フィルム状の耐熱性樹脂層１０とフィルム状の柔軟性樹脂層２０とをラミネート（積層）して形成してもよい。
【００７３】
２．半導体装置の製造方法
次に、本実施形態に係る半導体装置の製造方法の各工程について説明する。
【００７４】
（工程（Ａ））
はじめに、耐熱性樹脂層１０、柔軟性樹脂層２０および粘着性樹脂層３０をこの順番に有する粘着性積層フィルム５０と、粘着性樹脂層３０上に貼り付けられた１または２以上の半導体チップ７０と、を備える構造体１００を準備する。
【００７５】
このような構造体は、例えば、粘着性積層フィルム５０の粘着性樹脂層３０上に、半導体基板を貼り付け、次いで、粘着性積層フィルム５０上の半導体基板を半導体チップ７０にダイシングすることにより作製することができる。
以下、構造体１００の製造方法について説明する。
【００７６】
はじめに、粘着性積層フィルム５０の粘着性樹脂層３０上に、半導体基板を貼り付ける。
粘着性積層フィルム５０に貼り付ける半導体基板としては、例えば、シリコン、ゲルマニウム、ガリウム−ヒ素、ガリウム−リン、ガリウム−ヒ素−アルミニウム等の基板（例えば、ウェハ）が挙げられる。
また、半導体基板としては、表面に回路が形成された半導体基板を用いることが好ましい。
【００７７】
粘着性積層フィルム５０の貼り付けは、人の手で行なってもよいが、通常、ロール状の表面保護フィルムを取り付けた自動貼り機によって行なう。
粘着性積層フィルム５０および半導体基板の貼り付け時の温度には特に制限はないが、２５℃〜８０℃が好ましい。
また、粘着性積層フィルム５０と半導体基板との貼り付け時の圧力については特に制限はないが、０．３ＭＰａ〜０．５ＭＰａが好ましい。
【００７８】
次いで、粘着性積層フィルム５０上の半導体基板を半導体チップ７０にダイシングする。
ここでいう「ダイシング」には、
（ａ）半導体基板に対してこの半導体基板の厚さと同じ深さの切れ込みを設けることによって半導体基板を分断し、複数の分断された半導体チップを得る操作（以下、「フルカットダイシング」ともいう）、および、
（ｂ）レーザー光を照射することにより、半導体基板に対し、半導体基板の切断までには至らない変質領域を設け、複数の半導体チップを得る操作（以下、「ステルスダイシング」ともいう）が含まれる。
上記ダイシングは、ダイシングブレード（ダイシングソー）、レーザー光等を用いて行うことができる。
【００７９】
ダイシングがフルカットダイシングである場合には、ダイシングによって半導体基板が複数の半導体チップに分断される。
一方、ダイシングがステルスダイシングである場合には、ダイシングのみによっては半導体基板が複数の半導体チップに分断されるまでには至らず、ダイシング後の粘着性積層フィルム５０の拡張によって半導体基板が分断されて複数の分断された半導体チップが得られる。なお、ステルスダイシングである場合の粘着性積層フィルム５０の拡張は、工程（Ｂ）の前におこなってもよいし、工程（Ｂ）の後におこなってもよい。
なお、工程（Ａ）における半導体チップ７０には、フルカットダイシングにより得られる分断された複数の半導体チップと、ステルスダイシングにより得られる分断される前の複数の半導体チップの両方を含む。
【００８０】
（工程（Ｂ））
次に、粘着性樹脂層３０上に貼り付けられた状態で、半導体チップ７０の動作を確認する。
半導体チップ７０の動作確認は、例えば、図３に示すように構造体１００を検査台９０に載せて、公知の半導体試験装置を用いておこなうことができる。
例えば、半導体チップ７０の電極７５に対して、テスタに接続された接触端子９５を接触させる。これにより、半導体チップ７０とテスタとの間で、動作電力や動作試験信号等の授受を行い、半導体チップ７０の動作特性の良否等を判別する。
【００８１】
工程（Ｂ）では、０℃以下または５０℃以上２００℃以下の温度環境下で半導体チップ７０の動作確認をおこなうことが好ましく、６０℃以上１８０℃以下の温度環境下で半導体チップ７０の動作確認をおこなうことがより好ましく、８０℃以上１６０℃以下の温度環境下で半導体チップ７０の動作確認をおこなうことがさらに好ましい。こうすることで、不良発生の要因が内在している半導体チップの劣化を加速でき、半導体チップの初期不良を早期に発生させ、その不良品を除去することができる。これにより、信頼性に優れた半導体チップ７０を歩留りよく得ることができる。
例えば、構造体１００を恒温槽やオーブンに入れるか、または検査台９０に設けられたヒーターで加熱することによって、上記の温度環境下とすることができる。
【００８２】
（工程（Ｃ））
次いで、工程（Ｂ）の後に耐熱性樹脂層１０を粘着性積層フィルム５０から剥離する。
粘着性積層フィルム５０の剥離は手により行われる場合もあるが、一般には自動剥がし機と称される装置によって行うことができる。
【００８３】
（工程（Ｄ））
次いで、工程（Ｃ）の後に粘着性樹脂層３０から半導体チップ７０をピックアップする。
このピックアップにより、粘着性積層フィルム５０から半導体チップ７０を剥離することができる。
半導体チップ７０のピックアップは、公知の方法で行うことができる。
【００８４】
工程（Ｄ）では、粘着性樹脂層３０における半導体チップ７０が貼り付けられた領域をフィルムの面内方向に拡張させて、隣接する半導体チップ７０間の間隔を拡大させた状態で、粘着性樹脂層３０から半導体チップ７０をピックアップすることが好ましい。
こうすることにより、隣接する半導体チップ７０間の間隔が拡大するため、粘着性積層フィルム５０から半導体チップ７０をピックアップし易くなる。さらに、粘着性積層フィルム５０の面内方向の拡張によって生じる、半導体チップ７０と粘着性樹脂層３０とのずり応力により、半導体チップ７０と粘着性樹脂層３０との粘着力が低下するため、粘着性積層フィルム５０から半導体チップ７０をピックアップし易くなる。
【００８５】
（工程（Ｅ））
本実施形態に係る半導体装置の製造方法において、工程（Ｄ）の前に粘着性積層フィルム５０に対して放射線を照射し、粘着性樹脂層３０を架橋させることで、半導体チップ７０に対する粘着性樹脂層３０の粘着力を低下させる工程（Ｅ）をさらに備えることが好ましい。
工程（Ｅ）をおこなうことで、粘着性樹脂層３０から半導体チップ７０を容易にピックアップすることができる。また、粘着性樹脂層３０を構成する粘着成分により半導体チップ７０の表面が汚染されることを抑制することができる。
放射線は、例えば、粘着性積層フィルム５０の耐熱性樹脂層１０側から照射される。
放射線として紫外線を用いる場合、粘着性積層フィルム５０に対して照射する紫外線の線量は、１００ｍＪ／ｃｍ２以上が好ましく、３５０ｍＪ／ｃｍ２以上がより好ましい。
紫外線の線量が上記下限値以上であると、粘着性樹脂層３０の粘着力を十分に低下させることができ、その結果、半導体チップ表面に糊残りが発生することをより抑制することができる。
また、粘着性積層フィルム５０に対して照射する紫外線の線量の上限は特に限定されないが、生産性の観点から、例えば、１５００ｍＪ／ｃｍ２以下であり、好ましくは１２００ｍＪ／ｃｍ２以下である。
紫外線照射は、例えば、高圧水銀ランプやＬＥＤを用いておこなうことができる。
工程（Ｅ）は工程（Ｃ）の前におこなってもよいし、工程（Ｃ）の後におこなってもよいが、工程（Ｂ）と工程（Ｃ）との間あるいは工程（Ｃ）と工程（Ｄ）との間におこなうことが好ましい。
【００８６】
（その他の工程）
本実施形態に係る半導体装置の製造方法は、上記以外のその他の工程を有していてもよい。その他の工程としては、半導体装置の製造方法において公知の工程を用いることができる。
【００８７】
例えば、工程（Ｄ）を行った後、得られた半導体チップを回路基板に実装する工程や、ワイヤボンディング工程、封止工程等の電子部品の製造工程において一般的におこなわれている任意の工程等をさらに行ってもよい。
【００８８】
また、半導体基板として一方の面のみに回路面を有する半導体基板を用いる場合、半導体基板の回路面を封止する封止工程をさらに有していてもよい。
封止工程では、例えば、粘着性積層フィルム５０が貼着された半導体基板の回路面上に保護層を形成することで、回路面を内部に封止する。その場合、封止工程の後のダイシング工程によって、回路面が封止された半導体基板をダイシングする。
なお、封止工程は、半導体基板に粘着性積層フィルム５０を貼り付ける工程の前に行ってもよい。
【００８９】
また、回路面を有する半導体基板を用いる場合、例えば、半導体基板の回路形成面に通常用いられる方法で電極形成および非回路面に保護膜形成を行う工程をさらに有してもよい。この電極形成および保護膜形成を行う工程が設けられた製造方法は、ＷＬＰ（Ｗａｆｅｒ  Ｌｅｖｅｌ  Ｐａｃｋａｇｅ）とも呼ばれている。
また、半導体基板の回路面に再配線層を形成する工程をさらに有してもよい。半導体チップ面積を超える広い領域に再配線層を形成することにより得られる半導体装置は、ファンアウトパッケージ（Ｆａｎ−ｏｕｔ  Ｐａｃｋａｇｅ)とも呼ばれている。
【００９０】
以上、本発明の実施形態について述べたが、これらは本発明の例示であり、上記以外の様々な構成を採用することもできる。
【００９１】
なお、本発明は前述の実施形態に限定されるものではなく、本発明の目的を達成できる範囲での変形、改良等は本発明に含まれるものである。
【００９２】
この出願は、２０１６年３月３０日に出願された日本出願特願２０１６−０６８８５４号を基礎とする優先権を主張し、その開示の全てをここに取り込む。
【図１】
2017170450.tif 000003
【図２】
2017170450.tif 000004
【図３】
2017170450.tif 000005
【図４】
2017170450.tif 000006
【国際調査報告】
2017170450.tif 000007
2017170450.tif 000008
2017170450.tif 000009